(57)【要約】      （修正有）【課題】様々な大きさの鳥類の飛来を確実に防止でき、しかも、製造が容易な鳥類飛来防止具を提供する。【解決手段】複数本のカラスやハト等の大型鳥類防止用の樹脂製の長針１と複数本のスズメやツバメ等の小型鳥類防止用の樹脂製の短針２とを混在させて樹脂製の取付用基板部３から突設させた。また、上記基板部３の縦方向Ｎに上記長針１と上記短針２とを交互に配設し、さらに、横方向Ｗに上記長針１と上記短針２とを交互に配設した。【選択図】図１
2016158517.tif 000002
【特許請求の範囲】
【請求項１】
複数本の樹脂製の長針（１）と複数本の樹脂製の短針（２）とを混在させて樹脂製の取付用基板部（３）から突設させたことを特徴とする鳥類飛来防止具。
【請求項２】
上記基板部（３）の縦方向（Ｎ）に上記長針（１）と上記短針（２）とを交互に配設し、さらに、横方向（Ｗ）に上記長針（１）と上記短針（２）とを交互に配設した請求項１記載の鳥類飛来防止具。
【請求項３】
上記基板部（３）には、縦方向（Ｎ）及び横方向（Ｗ）に分離用折り溝（31）を形成した請求項１又は２記載の鳥類飛来防止具。
【請求項４】
上記長針（１）の長さ寸法（Ｓ１）を、１２０ｍｍ以上１８０ｍｍ以下に設定し、
上記短針（２）の長さ寸法（Ｓ２）を、３０ｍｍ以上８０ｍｍ以下に設定した請求項１，２又は３記載の鳥類飛来防止具。
【請求項５】
上記基板部（３）の縦方向（Ｎ）に所定ピッチで配設された上記長針（１）及び上記短針（２）から成る針列を、４列以上備え、
上記基板部（３）の側外端に列設される針列の上記長針（１）及び上記短針（２）を、側外方へ傾斜させた請求項１，２，３又は４記載の鳥類飛来防止具。
【発明の詳細な説明】
【技術分野】
【０００１】
本発明は、鳥類飛来防止具に関する。
【背景技術】
【０００２】
従来、ハトやカラスの飛来を防止する鳥類飛来防止具は、金属製の細帯板部に、複数の樹脂製の針を突設させたものがあった（例えば、特許文献１参照）。
【先行技術文献】
【特許文献】
【０００３】
【特許文献１】特開平１０−９９００７号公報
【発明の概要】
【発明が解決しようとする課題】
【０００４】
しかし、従来は、カラスやハト等の大型の鳥類の飛来を防止するための針と針の間に、スズメやツバメ等の小型の鳥類が駐鳥して、糞害を防ぐことができないといった問題があった。
【０００５】
そこで、本発明は、様々な大きさの鳥類の飛来を確実に防止でき、しかも、製造が容易な鳥類飛来防止具の提供を目的とする。
【課題を解決するための手段】
【０００６】
上記目的を達成するために、本発明の鳥類飛来防止具は、複数本の樹脂製の長針と複数本の樹脂製の短針とを混在させて樹脂製の取付用基板部から突設させたものである。
また、上記基板部の縦方向に上記長針と上記短針とを交互に配設し、さらに、横方向に上記長針と上記短針とを交互に配設したものである。
また、上記基板部には、縦方向及び横方向に分離用折り溝を形成したものである。
また、上記長針の長さ寸法を、１２０ｍｍ以上１８０ｍｍ以下に設定し、上記短針の長さ寸法を、３０ｍｍ以上８０ｍｍ以下に設定したものである。
また、上記基板部の縦方向に所定ピッチで配設された上記長針及び上記短針から成る針列を、４列以上備え、上記基板部の側外端に列設される針列の上記長針及び上記短針を、側外方へ傾斜させたものである。
【発明の効果】
【０００７】
本発明の鳥類飛来防止具によれば、カラスやハト等の大型の鳥類に限らず、スズメやツバメ等の小型の鳥類の飛来を阻止して、確実に糞害を防止できる。樹脂で一体成形でき、容易に製造できる。軽量かつ取り扱いが容易で、施工作業を安全かつスムーズに行うことができる。
【図面の簡単な説明】
【０００８】
【図１】本発明の鳥類飛来防止具の実施の一形態を示す斜視図である。
【図２】正面図である。
【図３】側面図である。
【図４】分割状態を示す斜視図である。
【図５】分割状態を示す斜視図である。
【図６】分割状態を示す斜視図である。
【図７】裏面側から見た斜視図である。
【図８】積層準備状態を示す斜視図である。
【図９】積層状態を示す斜視図である。
【図１０】使用状態の一例を示す正面図である。
【図１１】使用状態の他例を示す斜視図である。
【図１２】使用状態の別例を示す正面図である。
【図１３】他の実施形態を示す斜視図である。
【図１４】別の実施形態を示す斜視図である。
【発明を実施するための形態】
【０００９】
以下、図示の実施の形態に基づき本発明を詳説する。
本発明に係る鳥類飛来防止具は、図１乃至図３に示すように、複数本の樹脂製の長針１と、複数本の樹脂製の短針２と、を混在させて、樹脂製の帯板状の取付用基板部３の表て面３ａから突設させている。
言い換えると、基板部３上に、カラスやハト等の大型鳥類防止用の長針１と、スズメやツバメ等の小型鳥類防止用の短針２と、混在させて突設している。
【００１０】
長針１及び短針２は、円錐状に形成され、先端部は丸山形状である。基板部３と長針１と短針２とを樹脂で一体成形している。
【００１１】
基板部３の縦方向（長手方向）Ｎに長針１と短針２とを交互に配設している。大型鳥類防止用の長針１と長針１の間に、小型鳥類防止用の短針２を突設させているとも言える。
さらに、基板部３の横方向（幅方向）Ｗに長針１と短針２とを交互に配設している。
【００１２】
基板部３の縦方向Ｎに所定ピッチで配設された長針１及び短針２から成る針列を、４列備えている。横方向中央寄りに列設される２列の針列の長針１及び短針２を、鉛直状に突設させている。基板部３の横方向Ｗの両側外端部３ｄ，３ｄに、夫々、列設される針列の長針１及び短針２を、側外方へ傾斜させている（斜め上方へ突出させている）。傾斜状の長針１及び短針２を基板部３の横方向Ｗの両側外端に設けている。
【００１３】
ここで、長針１及び短針２を合わせて威嚇針７と呼ぶと、基板部３の縦方向Ｎに沿った両縦側縁部に側外上方へ突設させた傾斜状の威嚇針７を列設し、残りの２列において、威嚇針７を、上方へ突設させた鉛直状に設けていると言える。
【００１４】
図２に示すように、長針１は、長さ寸法（基板部３の表て面３ａからの突出寸法）Ｓ１を、１２０ｍｍ以上１８０ｍｍ以下に設定している。
１２０ｍｍ未満であると、ハトやカラス等の大型鳥類の胴や羽根が長針１に接触する前に、鳥類の脚が基板部３に着地でき、駐鳥される虞れがある。また、大型鳥類への十分な威嚇効果が得られない。１８０ｍｍを越えると、樹脂成形金型による成形が困難となる（製造コストが増加する）。
【００１５】
短針２は、長さ寸法（基板部３の表て面３ａからの突出寸法）Ｓ２を、３０ｍｍ以上８０ｍｍ以下に設定している。
３０ｍｍ未満であると、スズメやツバメ等の小型鳥類の胴や羽根に短針２が接触する前に、鳥類の脚が基板部３に着地でき、駐鳥される虞れがある。
８０ｍｍを越えると、長針１に接近し、全体として、同じような大きさの威嚇針７が突出された針群となり威嚇効果が弱くなる。
【００１６】
さらに、傾斜状の長針１及び短針２は、針軸心Ｌと基準水平面Ｊ（基板部３の表て面３ａ）の間の傾斜角度θを、６２度以上７５度以下に設定している。
７５度を越えると、鉛直状に突設させた場合と比べて飛来してくる鳥類に対しての威嚇効果が大きく変わらず、６２度未満であると、長針１及び短針２が倒れすぎて、威嚇効果が少なく、また、小型の鳥類が傾斜状威嚇針７に駐鳥する虞れがある。また、金型成形が困難になる。
【００１７】
そして、横方向Ｗに隣り合う長針１と短針２の針横間隙寸法Ｅａを、基板部３の表て面３ａからの所定の第１基準高さ寸法Ｈａにおいて、１３ｍｍ以上１９ｍｍ以下に設定している。
１３ｍｍ未満にすると、針同士が接近しすぎて製造が困難になると共に、長針１及び短針２が密集して尖りが強調されず威嚇効果が低減する。１９ｍｍを越えると、間隔が広くなり、小型鳥類が入り込む虞れがある。
また、第１基準高さ寸法Ｈａは、基板部３に小型鳥類が着地したと想定した場合の小型鳥類の脚部乃至胴部に対応する高さとするのが好ましく、例えば、１８ｍｍ以上３０ｍｍ以下とするのが望ましい。
【００１８】
また、図３に示すように、縦方向Ｎに隣り合う長針１と短針２の針縦間隙寸法Ｅｂを、基板部３の表て面３ａからの所定の第２基準高さ寸法Ｈｂにおいて、１３ｍｍ以上１９ｍｍ以下に設定している。
１３ｍｍ未満にすると、針同士が接近しすぎて製造が困難になると共に、長針１及び短針２が密集して尖りが強調されず威嚇効果が低減する。１９ｍｍを越えると、間隔が広くなり、小型鳥類が入り込む虞れがある。
また、第２基準高さ寸法Ｈｂは、基板部３に小型鳥類が着地したと想定した場合の小型鳥類の脚部乃至胴部に対応する高さとするのが好ましく、例えば、１８ｍｍ以上３０ｍｍ以下とするのが望ましい。
【００１９】
図１乃至図３に示すように、基板部３には、縦方向Ｎ及び横方向Ｗに分離用折り溝31を形成している。
分離用折り溝31は、基板部３の表て面３ａに断面Ｖ字状に凹設され、縦方向Ｎに沿った縦折り溝31ａと、横方向Ｗに沿った横折り溝31ｂと、を有している。
なお、図示省略するが、折り溝31を基板部３の裏面３ｂに設けても良い。或いは、折り溝31を基板部３の表て面３ａ及び裏面３ｂの両方に設けても良い。また、折り溝31の断面形状は、Ｕ字状や半円形状や横倒コの字状等自由である。
【００２０】
縦折り溝31ａは、横方向中央寄りで横方向Ｗに隣り合う針列と針列の間に形成されている。言い換えると、縦折り溝31ａは、鉛直状の長針１及び短針２から成る一方の針列と、鉛直状の長針１及び短針２から成る他方の針列との間の中央位置に形成している。
横折り溝31ｂは、縦方向Ｎに隣り合う長針1と短針２の間の中央位置に形成し、基板部３に複数本設けている。
【００２１】
横折り溝31ｂは、図４に示すように、基板部３を、縦方向Ｎに複数に分割するためのものである。つまり、図１乃至図３に示したような長針１と短針２と基板部３とを樹脂で一体成形したものを防止具本体８と呼ぶと、防止具本体８の縦寸法を、設置場所に対応させて調節可能となる。言い換えると、防止具本体８を、帯板状の基板部３よりも縦寸法が短い短冊板状の分割基板片81を有する小防止具80に、複数、分割することができる。
横折り溝31ｂは、基板部３を、手で（手動で）折曲げることで、ニッパーやカッター等の切断工具を用いずに分割（切り分け）可能に設けている。
【００２２】
縦折り溝31ａは、図５に示すように、基板部３を、横方向Ｗに分割する（２分割する）ためのものである。つまり、防止具本体８の横寸法を、設置場所に対応させて調節可能となる。言い換えると、防止具本体８を、帯板状の基板部３よりも幅狭の細帯板状の分割基板片81を有する小防止具80に、複数（２分割）分割することができる。
縦折り溝31ａは、基板部３を、手で（手動で）折曲げることで、ニッパーやカッター等の切断工具を用いずに分割（切り分け）可能に設けている。
【００２３】
防止具本体８から縦折り溝31ａによって分割して形成される小防止具80は、縦方向Ｎに長針１と短針２が交互に配設された針列を２列突設している。また、細帯板状の分割基板片81の横方向Ｗに長針１と短針２が隣り合って突設している。また、２列の針列の内、一方の針列は鉛直状に突設され、他方の針列は傾斜状に突設している。
【００２４】
また、図６に示すように、基板部３を縦折り溝31ａ及び横折り溝31ｂをもって、縦方向Ｎ及び横方向Ｗに分割することも可能である。つまり、防止具本体８よりも縦寸法及び横寸法の小さい細長状の小防止具80を複数得られる。
【００２５】
また、図示省略するが、縦折り溝31ａ及び横折り溝31ｂは、分割して得た最小の（基板部３を最も小さく分割した）分割基板片81に、長針１と短針２が１本ずつ突設されるように設けている。また、最小の分割基板片81には、長針１及び短針２の一方が鉛直状に突設されると共に他方が傾斜状に突設される。
【００２６】
図７に示すように、基板部３の裏面３ｂには、接着剤が塗布されると共に接着剤容器の吐出ノズルをガイドするための、接着剤用の凹溝38を、縦方向Ｎに沿って複数本（図例に於ては３本）設けている。
凹溝38に、吐出ノズルの先端口部を対応させ、凹溝38に沿って吐出ノズルを摺動させつつ、接着剤を吐出させることができ、接着剤塗布作業を容易かつ適切に行うことが可能となる。
【００２７】
また、３本の凹溝38の横方向Ｗの配置は、縦折り溝31ａと横方向同位置（横方向中央位置）に１本、縦折り溝31ａを中心として横方向両側に夫々１本ずつ設けている。このように設けることで、縦折り溝31ａで基板部３を分割した場合に、細帯状分割基板片81に１本の凹溝38が残存するようになり、細長状小防止具80への接着剤の塗布が容易となる。
【００２８】
図７と図１に於て、基板部３には、縦方向Ｎに隣り合う鉛直状の長針１と鉛直状の短針２の間の中央位置に、貫通孔37を設けている。
また、基板部３は、両側外端（基板部３の縦方向Ｎに沿った両縦側縁部）から、縦方向Ｎに隣り合う長針１と短針２の間を横方向内方へ切り欠いた（側内方へ窪ませた）切欠状の逃がし部36を形成している。
なお、図示省略するが、逃がし部36と貫通孔37とを連通させても良い。
【００２９】
図８に示すように、一方の防止具本体８Ａと、他方の防止具本体８Ｂを、横方向中心線が一致するように上下方向に配設し、さらに、上側の防止具本体８Ａの各貫通孔37Ａに、下側の防止具本体８Ｂの鉛直状の各威嚇針７Ｂが対応するように、一方の防止具本体８Ａと他方の防止具本体８Ｂとを縦方向Ｎにずらして配設した積層準備状態とする。
【００３０】
積層準備状態から、一方の防止具本体８Ａと他方の防止具本体８Ｂを相対的に上下方向に接近させると、図８から図９に示すように、下側の鉛直状の威嚇針７Ｂが、上側の貫通孔37Ａを挿通すると共に、下側の傾斜状の威嚇針７Ｂが上側の逃がし部36Ａに対応し、上側の基板部３Ａと下側の威嚇針７Ｂとの接触（干渉）が防止される。即ち、上側の基板部３Ａの裏面３ｂに、下側の基板部３Ｂの表て面３ａが接触するまで上下に積み重ねることができる。図９に示すように、積層状態では、上側の威嚇針７Ａと下側の威嚇針７Ｂとが縦方向Ｎに交互に配設される。嵩張らず、収納や梱包、搬送が容易となる。
【００３１】
また、図２と図３に示すように、基板部３の（折り溝31及び凹溝38を除く）厚さ寸法ｔは、１．５ｍｍ以上５ｍｍ以下の薄板状が望ましい。１．５ｍｍ未満であると強度が弱くなる。５ｍｍを越えると、折り溝31を深く形成する必要があると共に強度が過剰となり、材料が無駄になる。
また、防止具本体８（長針１と短針２と基板部３）は、ポリカーボネート、或いは、ＡＢＳとするのが望ましい。或いは、ＰＰ（ポリプロピレン）やＰＥ（ポリエチレン）で形成するも良い。
【００３２】
本発明の鳥類飛来防止具の作用（使用方法）について説明する。
基板部３の裏面３ｂの凹溝38に接着剤を塗布し、図10及び図11に示すように、ブロック塀やベランダの手摺り等の被取着部（被駐鳥防止部）Ｋの被取着面（上面）Ｋａに、固着（接着）する。
【００３３】
基板部３上には、長針１と短針２とを縦方向Ｎ及び横方向Ｗに交互に設けているため、被取着部Ｋへの固着（接着）作業において、長針１を把持しやすく、接着剤の塗布された防止具本体８を容易に持つことができる。また、長針１と長針１の間に指を入れて、基板部３の表て面３ａを押圧しやすく、強い押し力で基板部３の裏面３ｂを、被取着部Ｋの上面Ｋａに密着させて接着させることができる。
【００３４】
防止具本体８を設置後は、長針１と短針２との段差により、長針１の大きさが強調され、大型鳥類への威嚇効果を向上できる。また、長針１と短針２による段差が、長針１及び短針２の尖りを強調すると共に、ノコギリのようなジグザグ形状を演出して、（単に同じ大きさの針を突設させた場合に比べて）鳥類に対する威嚇・忌避効果を向上させ、確実に飛来（駐鳥）を防止できる。
【００３５】
また、小型鳥類は、カラスや猫などの外敵から身を隠しやすい長針１と長針１の間に駐鳥しようと接近するが、長針１と長針１の間に設けたが短針２が、小型鳥類にとって脅威を感じさせ、威嚇・忌避効果が得られ、飛来を防止できる。また、短針２によって、長針１と長針１の間に小型鳥類の駐鳥スペースを無くしている。
【００３６】
ここで、鳥類飛来防止具の取り付け方（鳥類飛来防止構造）の一例としては、鳥類が接近する虞れの高い被取着部Ｋの上側縁Ｋｄに、基板部３の側外端部３ｄを対応させ、上側縁Ｋｄよりも基板部３の側外端が側外方へ突出しないように、被取着面Ｋａに基板部３を接着する。好ましくは、被取着部Ｋの両上側縁Ｋｄ，Ｋｄが、基板部３の両側外端よりも、側外方へ突出しないように接着する。このように設けることで、傾斜状の長針１及び短針２の下方と、被取着面Ｋａの間に、小型鳥類が駐鳥可能な平面や空間が形成されず、小型鳥類の飛来を防止できる。
【００３７】
さらに、図12に示すように、被取着部Ｋが、建築物の窓部近傍や梁等の幅細状段差部である場合は、図５又は図６のように、防止具本体８を、縦折り溝31ａによって、基板部３を横方向Ｗに分割し、基板部３の横寸法を調節する。また、横折り溝31ｂによって、縦寸法を調設する。言い換えると、防止具本体８を、細帯板状の分割基板片81を有する細長状小防止具80に分割し、細長状小防止具80を被取着面Ｋａに接着する。
【００３８】
細長状小防止具80は、鉛直状に突出した長針１及び短針２から成る鉛直状針列を、壁面や窓等の鉛直状面Ｆ側とし、傾斜状に突出した長針１及び短針２から成る傾斜状針列（基板部３の側外端）を、鳥類が接近する虞れの高い上側縁Ｋｄに、対応させて、接着（固着）する。このように、防止具本体８を折り溝31によって、切断工具を用いずに、手で、施工現場にて臨機応変にサイズ調節でき、様々な、被取着部Ｋに対応させて施工（鳥類飛来防止工事）が行える。
【００３９】
次に、鳥類飛来防止具の他の実施形態について詳説する。
図13に示すように、基板部３の両側外端（両側外端部３ｄ，３ｄ）に設けた長針１及び短針２を、鉛直状に突設したものである。他の構成及び作用は、上述の実施形態と同様である。このように全ての威嚇針７を鉛直状に突設することで、樹脂成形金型での成形が容易となり、不良発生数が少なく、効率良く製造できる。また、金型自体の製作が容易になる。
【００４０】
次に、別の実施形態について詳説する。
図14に示すように、基板部３の両側外端部３ｄ，３ｄに設けた長針１及び短針２を、基板部３の両側外端よりも横方向内方に配設し、逃がし部36を窓（貫孔）状に形成して、基板部３の両側外端を縦方向Ｎに沿って連結杆状に（基板部３の縦方向Ｎに沿った両縦側縁部を細杆状に）残存させている。他の構成及び作用は、上述の実施形態と同様である。
このように設けることで、基板部３を、折り溝31にて分離させる際に、作業者が把持しやすく、また、手指の力が伝達しやすくなって、分離作業を容易かつスムーズにおこなうことができる。なお、図14において凹溝38は図示省略している。
【００４１】
本発明は設計変更可能であって、針列を４列以上設けても良い。縦折り溝31ａは、複数本設けても良い。例えば、鉛直状に突設した針列と傾斜状に突設した針列の間に設けても良い。長針１及び短針２は円錐状に限らず、四角錘状や多角形錘状であっても良い（長針１及び短針２の横断面形状は円形に限らず矩形状や多角形状等自由である）。
なお、基板部３の表て面３ａを上方へ向けた姿勢を基準姿勢として、方向を説明している。したがって、方向を基に、使用状態の姿勢を限定するものではない。例えば、壁面等の鉛直状面に基板部３を接着した使用も可能である。また、基板部３の裏面３ｂに両面粘着テープを貼着して、被取着部Ｋに固着しても良い。また、基板部３は、縦方向Ｎに沿った両縦側縁部（基板部３の両側外端部３ｄ，３ｄ）を、平面視で凹凸状や波状に形成するも良い。言い換えると、平面視で両刃ノコギリ板状とするも良い。
【００４２】
以上のように、本発明の鳥類飛来防止具は、複数本の樹脂製の長針１と複数本の樹脂製の短針２とを混在させて樹脂製の取付用基板部３から突設させるので、カラスやハト等の大型の鳥類に限らず、スズメやツバメ等の小型の鳥類を飛来させず、確実に糞害を防止できる。樹脂で一体成形でき、容易に製造できる。軽量かつ取り扱いが容易で、施工作業を安全かつスムーズに行うことができる。
【００４３】
また、基板部３の縦方向Ｎに長針１と短針２とを交互に配設し、さらに、横方向Ｗに長針１と短針２とを交互に配設したので、長針１と短針２の凹凸が鳥類への威嚇効果や忌避効果を高め、様々な大きさの鳥類の飛来を防止できる。
【００４４】
また、基板部３には、縦方向Ｎ及び横方向Ｗに分離用折り溝31を形成したので、ニッパーやカッター等の切断用工具を用いずに、手で容易かつ迅速に分離できる。横寸法や縦寸法を、様々な被取着部Ｋに対応するように施工現場にて容易に調節できる。
【００４５】
また、長針１の長さ寸法Ｓ１を、１２０ｍｍ以上１８０ｍｍ以下に設定し、短針２の長さ寸法Ｓ２を、３０ｍｍ以上８０ｍｍ以下に設定したので、長針１と短針２のメリハリが得られ、針先を強調でき、威嚇効果や忌避効果を向上させることができる。大型及び小型の鳥類の飛来を確実に防止できる。
【００４６】
また、基板部３の縦方向Ｎに所定ピッチで配設された長針１及び短針２から成る針列を、４列以上備え、基板部３の側外端に列設される針列の長針１及び短針２を、側外方へ傾斜させたので、接近してくる鳥類に向うように突出し、威嚇効果を高めることができる。
【符号の説明】
【００４７】
１  長針
２  短針
３  基板部
31  折り溝
Ｎ  縦方向
Ｓ１  長針の長さ寸法
Ｓ２  短針の長さ寸法
Ｗ  横方向
【図１】
2016158517.tif 000003
【図２】
2016158517.tif 000004
【図３】
2016158517.tif 000005
【図４】
2016158517.tif 000006
【図５】
2016158517.tif 000007
【図６】
2016158517.tif 000008
【図７】
2016158517.tif 000009
【図８】
2016158517.tif 000010
【図９】
2016158517.tif 000011
【図１０】
2016158517.tif 000012
【図１１】
2016158517.tif 000013
【図１２】
2016158517.tif 000014
【図１３】
2016158517.tif 000015
【図１４】
2016158517.tif 000016